(57)【要約】【課題】ローアングル又はハイアングルにおいて縦構図で撮影したい場合でも、横位置撮影で縦構図記録が可能となる使い易いスルー画機能付きのデジタルカメラを提供する。【解決手段】カメラ本体に沿うように収納された収納位置と、カメラ本体から引き出された引き出し位置とに可動な液晶モニタ２６を有し、縦構図撮影モードが設定された場合には、撮像データ縦構図画像を縦構図画像切り出し部２８３によって生成し、スルー画用表示画像生成部２８７は液晶モニタ２６にスルー画データを出力し、撮影時には記録用画像生成部２８９は記録媒体２４５に静止画データを出力する。【選択図】  図７
2007300275.tif 000002
【特許請求の範囲】
【請求項１】
被写体像データを取得する撮像手段と、
カメラ本体に沿うように収納された第１の位置と、カメラ本体から引き出された第２の位置とに可動な表示部を有する表示手段と、
上記撮像手段の繰り返し出力に応じて上記表示手段にスルー画像を表示するスルー画手段と、
上記スルー画像の表示中、レリーズ操作に応答して上記撮像手段の出力から記録用の静止画像データを生成する静止画取得手段と、
横構図撮影モードと縦構図撮影モードを設定可能な構図設定手段と、
を具備しており、
上記静止画取得手段は、上記表示手段が上記第２の位置にあって、上記構図設定手段によって上記縦構図撮影モードが設定された場合には、上記撮像手段の出力から縦構図画像を生成して上記記録用画像とすることを特徴とするデジタルカメラ。
【請求項２】
上記スルー画表示手段は、上記構図設定手段によって縦構図撮影モードが設定された場合に、上記表示手段に縦構図画像を表示することを特徴とする請求項１に記載のデジタルカメラ。
【請求項３】
上記スルー画表示手段は、上記構図設定手段によって縦構図撮影モードが設定された場合に、上記表示手段に上記縦構図画像の範囲を表示することを特徴とする請求項１に記載のデジタルカメラ。
【請求項４】
上記表示手段が上記第２の位置に移動したことを検知する検知手段を具備することを特徴とする請求項１に記載のデジタルカメラ。
【請求項５】
被写体像データを取得する撮像手段と、
カメラ本体に沿うように収納された第１の位置と、カメラ本体から引き出された第２の位置とに可動な表示手段と、
上記撮像手段の繰り返し出力に応じて上記表示手段にスルー画像を表示するスルー画手段と、
横構図モードと縦構図モードを設定可能な構図設定手段と、
を具備しており、
上記スルー画表示手段は、上記表示手段が上記第２の位置にあって、上記構図設定手段によって上記縦構図モードが設定された場合には、上記撮像手段の出力から縦構図画像を生成して上記スルー画表示用画像とすることを特徴とするデジタルカメラ。
【発明の詳細な説明】
【技術分野】
【０００１】
本発明は、スルー画表示機能を有するデジタルカメラに関し、詳しくは、撮像素子で繰り返し取得した画像を表示装置に動画像として表示する所謂スルー画表示機能（ライブビュー表示機能、電子ファインダ機能とも言う）を有するデジタルカメラに関する。
【背景技術】
【０００２】
従来のカメラにおいては、被写体像の観察は、光学式ファインダにより行っていたが、最近のコンパクトデジタルカメラは、光学式ファインダと共に、またはファインダ光学系を廃止し、撮像素子で取得した画像を連続的に液晶モニタ等の表示装置に表示するいわゆるスルー画表示機能を有したものが多くなってきている。
【０００３】
このようなスルー画表示機能をデジタルカメラに搭載した例として、光学ファインダ表示モードと電子ファインダ表示モードを選択可能とし、電子ファインダ表示モードが選択されたときには、可動ミラーを撮影光路から退避させるとともにフォーカルプレーンシャッタを全開状態にして被写体像を撮像素子に導き、それによって得られた被写体像を連続的に液晶モニタに表示するようにしたデジタル一眼レフカメラが提案されている（特許文献１）。
【特許文献１】特開２００２−３６９０４２号公報
【発明の開示】
【発明が解決しようとする課題】
【０００４】
このようなデジタルカメラにおけるスルー画表示は、光学ファインダよりも大画面で被写体像を観察することができ便利であるが、撮影意図によってはローアングルやハイアングルでの撮影が相応しい場合があり、このような場合にはカメラの構え方に制限が生じてしまう。つまり、ローアングルやハイアングルで縦位置に構えた場合、一般的な横位置撮影に比べてカメラの保持が不自然になる。このため縦構図撮影が必要な場合には、撮影者は無理な姿勢で撮影を行っていた。
【０００５】
本発明は、このような事情を鑑みてなされたものであり、ローアングルやハイアングル撮影時であっても使い易いスルー画機能付きのデジタルカメラを提供することを目的とする。
【課題を解決するための手段】
【０００６】
上記目的を達成するため第１の発明に係わるデジタルカメラは、被写体像データを取得する撮像手段と、カメラ本体に沿うように収納された第１の位置と、カメラ本体から引き出された第２の位置とに可動な表示部を有する表示手段と、上記撮像手段の繰り返し出力に応じて上記表示手段にスルー画像を表示するスルー画手段と、上記スルー画像の表示中、レリーズ操作に応答して上記撮像手段の出力から記録用の静止画像データを生成する静止画取得手段と、横構図撮影モードと縦構図撮影モードを設定可能な構図設定手段を具備しており、上記静止画取得手段は、上記表示手段が上記第２の位置にあって、上記構図設定手段によって上記縦構図撮影モードが設定された場合には、上記撮像手段の出力から縦構図画像を生成して上記記録用画像とする。
【０００７】
また、第２の発明に係わるデジタルカメラは、上記第１の発明において、上記スルー画表示手段は、上記構図設定手段によって縦構図撮影モードが設定された場合に、上記表示手段に縦構図画像を表示する。
さらに、第３の発明に係わるデジタルカメラは、上記第１の発明において、上記スルー画表示手段は、上記構図設定手段によって縦構図撮影モードが設定された場合に、上記表示手段に上記縦構図画像の範囲を表示する。
さらに、第４の発明に係わるデジタルカメラは、上記第１の発明において、上記表示手段が上記第２の位置に移動したことを検知する検知手段を具備する。
【０００８】
上記目的を達成するため第５の発明に係わるデジタルカメラは、被写体像データを取得する撮像手段と、カメラ本体に沿うように収納された第１の位置と、カメラ本体から引き出された第２の位置とに可動な表示手段と、上記撮像手段の繰り返し出力に応じて上記表示手段にスルー画像を表示するスルー画手段と、横構図モードと縦構図モードを設定可能な構図設定手段を具備しており、上記スルー画表示手段は、上記表示手段が上記第２の位置にあって、上記構図設定手段によって上記縦構図モードが設定された場合には、上記撮像手段の出力から縦構図画像を生成して上記スルー画表示用画像とする。
【発明の効果】
【０００９】
本発明のデジタルカメラにおいて、静止画取得手段は、表示手段が第２の位置にあって、構図設定手段によって縦構図撮影モードが設定された場合には、撮像手段の出力から縦構図画像を生成して上記記録用画像とするようにしたので、ローアングル撮影時であっても使い易いスルー画機能付きのデジタルカメラを提供することができる。
【発明を実施するための最良の形態】
【００１０】
以下、図面を参照してこの発明を実施するための一実施形態を説明する。
図１は、この発明が適用されたデジタル一眼レフカメラの外観斜視図であって、（Ａ）は表示部をカメラ本体に沿って収納した状態を示し、（Ｂ）は表示部が引き出された状態を示す外観図である。この一眼レフカメラは、カメラ本体２０と、交換レンズとしてのレンズ鏡筒１０とから構成されている。レンズ鏡筒１０はカメラ本体２０の前面のマウント部に着脱自在となっている。なお、本実施形態では、レンズ鏡筒１０とカメラ本体２０は別体で構成され、図示しない通信接点を介して電気的に接続されているが、レンズ鏡筒１０とカメラ本体２０を一体に構成することも可能である。
【００１１】
カメラ本体２０の上面にはレリーズ釦２１、モードダイヤル２２、パワースイッチレバー２３、コントロールダイヤル２４等が配置されている。レリーズ釦２１は、撮影者が半押しするとオンする第１レリーズスイッチと、全押しするとオンする第２レリーズスイッチを有している。この第１レリーズスイッチ（以下、１Rと称する）のオンによりカメラは焦点検出、撮影レンズのピントあわせ、被写体輝度の測光等の撮影準備動作を行い、第２レリーズスイッチ（以下、２Rと称する）のオンにより撮像素子の出力に基づいて被写体像の画像データの取り込みを行う撮影動作を実行する。
【００１２】
モードダイヤル２２は回転可能に構成された操作部材であり、モードダイヤル上の図示しない撮影モードを表す記号や絵表示を指標に合致させることにより、プログラムモード、絞り優先モード、シャッタ優先モード、ポートレートモード、オートモード等の撮影モードを選択することができる。パワースイッチレバー２３はデジタル一眼レフカメラの電源のオン・オフを行うための操作部材であり、オン・オフの２つの位置に回動可能に構成されている。コントロールダイヤル２４は、シャッタ速度、絞り値、感度、補正値等の撮影情報の設定を行うための操作部材であり、回転操作により種々の設定値の変更を行うことができる。
【００１３】
カメラ本体２０の背面には、液晶モニタ２６、再生釦２７、メニュー釦２８、十字キー３０、ＯＫ釦３１、ファインダ３３、スルー画切換釦３４、表示切換釦３５、プレビュー釦３６が配置されている。再生釦２７は、撮影後に液晶モニタ２６に記録した被写体画像表示を指示するための操作釦である。後述するＳＤＲＡＭ２３７や記録媒体２４５にＪＰＥＧ等の圧縮モードで記憶されている被写体の画像データを伸張して表示する。十字キー３０は液晶モニタ２６上で、Ｘ方向とＹ方向の２次元方向にカーソルの移動を指示するための操作部材である。ＯＫ釦３１は、十字キー３０等によって選択された各種項目を確定するための操作部材である。メニュー釦２８は、メニューモードに切換えるための釦であり、この釦２８の操作によってメニューモードを選択すると、液晶モニタ２６にメニュー画面が表示される。メニュー画面は複数の階層構造となっており、十字キー３０で各種項目を選択し、ＯＫ釦３１の操作により選択を決定する。
【００１４】
表示切換釦３５は、撮像素子の出力に基づいて液晶モニタ２６に被写体像を表示するスルー画表示に切換えるための操作部材である。スルー画表示にあたって後述するように本実施形態のデジタル一眼レフカメラでは、Aモード表示とBモード表示の２種類があり、スルー画切換釦３４はこれら２つのモード表示を切換えるための操作釦である。プレビュー釦３６は、被写体像の観察時に焦点深度を確認するために、撮影レンズの絞りを開放状態から絞り込むための指令を出すための操作釦である。縦構図釦３７は、後述するように、縦構図撮影モードを設定するための操作釦である。ここで縦構図撮影モードは、横長の撮像画面から縦構図に相当する画像を切り出し、この画像データを記録媒体２４５に記録する撮影モードである。これらの再生釦２７、メニュー釦２４、表示切換釦３５、プレビュー釦３６、縦構図釦３７はいずれもオン・オフスイッチと連動しており、操作釦の操作に応じて発生する信号が後述するＡＳＩＣ(Application Specific Integrated Circuit  特定用途向け集積回路)２６３に送信される。
【００１５】
液晶モニタ２６は、被写体像を観察用にスルー画として表示したり、撮影済みの被写体像を再生表示したり、カメラ情報やメニューを表示するための表示装置である。これらの表示を行うことができるものであれば、液晶に限らない。この液晶モニタ２６は、カメラ本体２０に沿って収納される位置とカメラ本体から引き出された位置とに移動可能に構成されている。また引き出された位置では、本体に対して角度を自在に変更できる。すなわち、図１（Ｂ）に示すように、その表示面を下方に向けたり（実線参照）、上方に向ける（破線参照）ことが可能となっている。この液晶モニタ２６の背面であってカメラ本体側には、図１（Ａ）のように、可動モニタスイッチ３９が配置されている。この可動モニタスイッチ３９は、収納状態ではオンであり、引き出された状態ではオフとなる。接眼部３３は、ファインダ光学系の接眼部であって、撮影者はこの接眼部３３を覗いて被写体像の確認を行うことができる。
【００１６】
図２は、本実施形態に係るデジタル一眼レフカメラの全体構成を示すブロック図である。
レンズ鏡筒１０の内部には、ピント調節および焦点距離調節用の撮影レンズ１０１ａ、１０１ｂと、開口量を調節するための絞り１０３が配置されている。レンズ１０１ａおよびレンズ１０１ｂはレンズ駆動機構１０７によって駆動され、絞り１０３は絞り駆動機構１０９によって駆動される。これらのレンズ駆動機構１０７、絞り駆動機構１０９はそれぞれレンズＣＰＵ１１１に接続されており、このレンズＣＰＵ１１１は図示しない通信接点を介してカメラ本体２０に接続されている。レンズＣＰＵ１１１はレンズ鏡筒１０内の制御を行うものであり、レンズ駆動機構１０７を制御してピント合わせや、ズーム駆動を行うとともに、絞り駆動機構１０９を制御して絞り値制御を行う。
【００１７】
カメラ本体２０内には、前述した第１反射ミラー２０１が配置されており、第１反射ミラー２０１の右方（図２では、作図上、第１反射ミラー２０１の上方となっている）には、被写体像を結像するために前述のスクリーンマット２０５が配置され、このスクリーンマット２０５の後方には、第２反射ミラー２７１、第３反射ミラー２７３、第４反射ミラー２７５が配置され、第２反射ミラー２７１の後方には、測光用センサ２８１が、また第４反射ミラー２７５の後方には結像レンズ２７７およびファインダ内ＣＣＤ２７９（図２中では、Ｆ内ＣＣＤと略記）が配置されている。そして、第４反射ミラー２７５の反射光軸上には接眼レンズ２０９が配置されている。
【００１８】
第１反射ミラー２０１の中央付近はハーフミラーで構成されており、この第１反射ミラー２０１の背面には、ハーフミラー部を透過した被写体光束を反射するためのサブミラー２０３が設けられている。このサブミラー２０３は、第１反射ミラー２０１に対して回動可能であり、第１反射ミラー２０１が撮影光路から退避し、被写体光束がメインＣＣＤ２２１に入射しているときには、ハーフミラー部を覆う位置に回動し、第１反射ミラー２０１が図示の如き被写体像観察位置にあるときには、第１反射ミラー２０１に対して垂直となる位置にある。この第１反射ミラー２０１はミラー駆動機構２１９によって駆動されている。また、サブミラー２０３の反射光路上に測距用センサを含むＴＴＬ位相差方式の測距回路２１７が配置されており、この回路は、レンズ１０１ａ、１０１ｂによって結像される被写体像の焦点ズレ量を検出するための回路である。
【００１９】
第１反射ミラー２０１の後方には、露光時間制御用のフォーカルプレーンタイプのシャッタ２１３が配置されており、このシャッタ２１３はシャッタ駆動機構２１５によって駆動制御される。シャッタ２１３の後方には二次元撮像素子としてのメインＣＣＤ２２１が配置されており、レンズ１０１ａ、１０１ｂによって結像される被写体像を電気信号に光電変換する。なお、本実施形態では撮像素子としてＣＣＤを用いているが、これに限らずＣＭＯＳ（Complementary Metal Oxide
Semiconductor）等の二次元撮像素子を使用できることはいうまでもない。メインＣＣＤ２２１はＣＣＤ駆動回路２２３に接続され、このＣＣＤ駆動回路２２３によってアナログデジタル変換（ＡＤ変換）がなされる。ＣＣＤ駆動回路２２３は入出力回路２３９を介して後述するシーケンスコントローラ（以下、「ボディＣＰＵ」と称す）２２９から制御を受け、メインＣＣＤ２２１の電源のオン・オフ制御を行い、メインＣＣＤ２２１の撮像のタイミングを供給し、ファインダ内ＣＣＤ２７９の出力とのバラツキの調整を行い、光電変換信号の増幅（ゲイン調整）等を行う。後述するＣＣＤ駆動回路２８３も同様の機能を有する。ファインダ内ＣＣＤ２７９はスクリーンマット２０５に結像された被写体像を光電変換する撮像素子であり、メインＣＣＤ２２１と同様、ＣＭＯＳ等の撮像素子でもよく、また、画素数は、被写体像観察用に用いるだけなので、メインＣＣＤ２２１よりも少なくてもよい。このファインダ内ＣＣＤ２７９は、ＣＣＤ駆動回路２８３に接続され、このＣＣＤ駆動回路２８３によってアナログデジタル変換（AD変換）がなされる。
【００２０】
ＣＣＤ駆動回路２２３とＣＣＤ駆動回路２８３はＣＣＤ切換回路２８５に接続されており、このＣＣＤ切換回路２８５は入出力回路２３９からの切換制御ラインによって、いずれかのＣＣＤを選択出力するように制御される。ＣＣＤ切換回路２８５はＣＣＤインターフェース２２５を介して画像処理回路２２７に接続されている。この画像処理回路２２７は色補正、ガンマ(γ)補正、コントラスト補正、白黒・カラーモード処理、スルー画像処理といった各種の画像処理を行う。画像処理回路２２７は、ＡＳＩＣ２６３内のデータバス２６１に接続されている。このデータバス２６１には、画像処理回路２２７の他、ボディＣＰＵ２２９、圧縮回路２３１、フラッシュメモリ制御回路２３３、ＳＤＲＡＭ（Synchronous Dynamic Random Access
Memory）制御回路２３６、入出力回路２３９、通信回路２４１、記録媒体制御回路２４３、ビデオ信号出力回路２４７、スイッチ検出回路２５３が接続されている。
【００２１】
このデータバス２６１に接続されているボディＣＰＵ２２９は、このデジタル一眼レフカメラのフローを制御するものである。またデータバス２６１に接続されている圧縮回路２３１は後述するＳＤＲＡＭ２３７に記憶された画像データ等をＪＰＥＧで圧縮するための回路である。なお、画像圧縮はＪＰＥＧに限らず、他の圧縮方法も適用できる。データバス２６１に接続されているフラッシュメモリ制御回路２３３は、フラッシュメモリ２３５に接続され、このフラッシュメモリ２３５は、電子カメラのフローを制御するためのプログラムが記憶されており、ボディＣＰＵ２２９はこのフラッシュメモリ２３５に記憶されたプログラムに従って電子カメラの制御を行う。なお、フラッシュメモリ２３５は、電気的に書換可能な不揮発性メモリである。ＳＤＲＡＭ２３７は、ＳＤＲＡＭ制御回路２３６を介してデータバス２６１に接続されており、このＳＤＲＡＭ２３７は、画像処理回路２２７によって画像処理された画像情報または圧縮回路２３１によって圧縮された画像情報を一時的に記憶するためのメモリである。
【００２２】
上述のシャッタ駆動機構２１５、測距回路２１７、ミラー駆動機構２１９、ＣＣＤ駆動回路２２３、測光センサ２８１、ＣＣＤ駆動回路２８３、ＣＣＤ切換回路２８５を接続する入出力回路２３９は、データバス２６１を介してボディＣＰＵ２２９等の各回路とデータの入出力を制御する。レンズＣＰＵ１１１と図示しない通信接点を介して接続された通信回路２４１は、データバス２６１に接続され、ボディＣＰＵ２２９等とのデータのやりとりや制御命令の通信を行う。データバス２６１に接続された記録媒体制御回路２４３は、記録媒体２４５に接続され、この記録媒体２４５への画像データ等の記録の制御を行う。記録媒体２４５は、ｘDピクチャーカード(登録商標)、コンパクトフラッシュ(登録商標)、SDメモリカード(登録商標)、メモリスティック(登録商標)またはハードディスクドライブ（ＨＤ）等の書換え可能な記録媒体で構成され、カメラ本体２０に対して着脱自在となっている。
【００２３】
データバス２６１に接続されたビデオ信号出力回路２４７は液晶モニタ駆動回路２４９を介して液晶モニタ２６に接続される。ビデオ信号出力回路２４７は、ＳＤＲＡＭ２３７または記録媒体２４５に記憶された画像データを、液晶モニタ２６に表示するためのビデオ信号に変換するための回路である。液晶モニタ２６はカメラ本体２０の背面に図１に図示されるごとく配置されているが、撮影者が観察できる位置であれば、背面に限らないし、また液晶に限らず他の表示装置でも構わない。レリーズ釦２１の第1ストロークや第２ストロークを検出するスイッチや、モードダイヤル２２、パワースイッチ２３、コントロールダイヤル２４、再生釦２７、メニュー釦２８、十字キー３０、ＯＫ釦３１、スルー画切換釦３４、プレビュー釦３６、縦構図釦３７、可動モニタスイッチ３９、レンズ検出スイッチ〈不図示〉等を含む各種スイッチ２５５（図３では各種ＳＷと略記）は、スイッチ検出回路２５３を介してデータバス２６１に接続されている。
【００２４】
次に、図３を用いて、カメラ本体２０の表示および動作モードの概略について説明する。
情報表示Ｍ１００はカメラ本体２００の電源スイッチがオンとなったときの状態であり、カメラの撮影にあたって基本的な情報の表示を行うものであって、液晶モニタ２６に、撮影モード、シャッタスピード、絞り、ＡＦモード、フラッシュ、画素数等の情報表示の画面が表示される。プログラムモード、シャッタ速度優先モードといった撮影モードはモードダイヤル２２の回動操作によって設定される。また、感度、シャッタ速度、絞り値、補正値、画素数といった項目は、情報表示画面において十字キー３０を操作することによって項目を選択し、コントロールダイヤル２４の操作で数値を設定する。
【００２５】
情報表示Ｍ１００の状態において、レリーズ釦２１を半押しすることによって、１Ｒスイッチがオンとなり、撮影動作Ａ  Ｍ１３０に入り、レリーズ釦２１から手を離し、半押しが解除されることによって情報表示Ｍ１００に戻る。この撮影動作準備動作Ｍ１３０では、測光・測距等の撮影のための準備動作を行う。この後、レリーズ釦２１を全押しすると、撮影動作Ａ  Ｍ１３１を行う。この撮影動作Ａにおいて、ＣＣＤ２２１から被写体像の光電変換信号を取り込み、画像処理回路２２７によって画像処理の上、画像データを記録媒体２４５に記録動作を行う。
【００２６】
また、情報表示モードＭ１００において、表示モード切換釦３４を操作すると、スルー画表示モードＭ３００となる。このスルー画表示モードでは、前述したように被写体像記録用のＣＣＤ２２１の出力を用いて観察用に被写体像を液晶モニタ２６に表示する。このスルー画表示モードＭ３００において、レリーズ釦２１を半押しした状態では特に動作は何も行われないが、さらにレリーズ釦２１を全押しすると、撮影動作Ｂ  Ｍ３３０が実行される。撮影動作Ｂでは、ＣＣＤ２２１によって取得した被写体画像データを記録媒体２４５に記録する、詳細は後述する。撮影動作Ｂが終了すると、スルー画表示モードに戻る。
【００２７】
次に、前述のスルー画表示モードＭ３００について、図４に示すフローチャートを用いて、その詳細を説明する。
表示モード切換釦３４の操作により、スルー画表示モードＭ３００に入ると、ステップ＃６１において、測光センサ２１１の出力に基づいて被写体輝度の測定を行い、ここで得た被写体輝度に基づいてシャッタ速度及び／又は絞り値を演算により求める露光量演算を行う（＃６１）。なお、ここで、求めるシャッタ速度及び／または絞り値は、前述の撮影モードにしたがって行う。この後、ＣＣＤ２２１の出力に基づいて被写体像を得るための準備を行う。まず、可動ミラー２０１をアップさせ（＃６３）、レンズ１０１，１０２からの被写体光束をファインダ光学系からＣＣＤ２２１側に導くようにする。続いて、シャッタ２１３を開放状態とし（＃６５）、これによりＣＣＤ２２１上に被写体像が結像する。
【００２８】
この後、ＣＣＤ２２１の駆動にあたっての電子シャッタスピードと感度の条件設定を行うために、ステップ＃６１で求めた測光・露光量の演算結果を用いてスルー画条件設定１のサブルーチンを実行する（Ｓ６７）。このサブルーチンの実行によって液晶モニタ２６に適切な明るさ（明度）の像を表示することができるが、このサブルーチンの詳細は図６を用いて後述する。スルー画条件設定１が終了すると、スルー画表示を開始する。なお、スルー画表示動作は、前述したように、この開始指示を受けて画像処理回路２２７にて行われる。
【００２９】
次に、ステップ＃７１において、レリーズ釦２１が全押しされたか、すなわち２Ｒがオンか否かの判定を行う。オンであった場合には、撮影動作Ｂ  Ｍ３３０を行うための準備動作として、スルー画表示の停止のための一連の動作をステップ＃７３および＃７５において行う。まず、ＣＣＤ２２１への電源供給を停止し、液晶モニタ２６でのスルー画表示を停止する（＃７３）。続いて、シャッタ２１３の閉じが完了したら（＃７５）、撮影動作Ｂ  Ｍ３３０のルーチンに移行する。この撮影動作Ｂの詳細なステップは、図５を用いて後述する。撮影動作Ｂが終了すると、ステップ＃６１に戻り、前述のステップを繰り返す。
【００３０】
ステップ＃７１に戻り、２Ｒがオフであった場合には、ステップ＃８１に進み、表示モード切換釦３４がオンか否かの判定を行う。判定の結果、表示モード切換釦３４が操作されておりオンであった場合には、情報表示モードＭ１００に戻るための準備動作を行う。この準備動作の内のステップ＃８３および＃８５は、前述のステップ＃７３およびステップ＃７５と同様の処理なので、詳細は省略する。ステップ＃８７にて可動ミラー２０１をダウンさせてから情報表示モードＭ１００に移行する。
【００３１】
ステップ＃８１に戻り、判定の結果、表示モード切換釦３４が操作されておらずオフであった場合には、ステップ＃９１に進み、電源スイッチ〈不図示〉がオフか否かの判定を行う。電源スイッチがオフであった場合には、カメラ動作を停止するための処理を行うが、この処理の内のステップ＃９３から＃９７は、前述のステップ＃８３からステップ＃８７と同様の処理なので、詳細は省略する。ステップ＃９７でのミラーダウンを行ってからカメラの動作を停止する。
【００３２】
ステップ＃９１に戻り、判定の結果、電源スイッチがオンであった場合には、ステップ＃１０１に進み、可動モニタスイッチ３９がオンか否かの判定を行う。可動モニタスイッチ３９は、前述したように液晶モニタ２６が引き出されているか、それともカメラ本体２０の背面に収納されているか判定するためのスイッチであって、収納されている場合にはオンとなっている。判定の結果、オフであった場合にはステップＳ１０３に進み、縦構図釦３７に連動する縦構図スイッチの判定を行う。縦構図釦３７が操作されると縦構図スイッチはオンとなる。縦構図スイッチが操作されている場合には、Ｙｅｓで抜けて、ステップ＃１０５に進み、既に縦構図撮影モードが設定されていたか否かの判定を行う。判定の結果、既に縦構図が設定されていた場合には、縦構図撮影モードを解除し、横構図撮影モードの設定を指示し（＃１０７）、一方、縦構図撮影モードが設定されていなかった場合には、縦構図撮影モードの設定の指示を行う（＃１０９）。
【００３３】
ステップ＃１０１に戻り可動モニタスイッチ３９がオフ、またはステップ＃１０３において縦構図スイッチがオフであった場合には、ステップ＃１１１に進み、スルー画条件の設定２のサブルーチンを実行する。スルー画条件の設定１はスルー画表示を開始する前であったので、測光素子２１１の出力に基づいて液晶モニタ２６の明度を調整していたが、スルー画条件の設定２は既に液晶モニタ２６で表示を行っていることから狙いとする明度と前回の液晶モニタ２６の明度との差分を基に電子シャッタ速度を決めている。詳細は、図６を用いて後述する。
【００３４】
次に、前述の撮影動作Ａ  Ｍ１３０と撮影動作Ｂ  Ｍ３３０について、図５に示すフローチャートを用いて、その詳細を説明する。
撮影動作Ａに入ると、まず、測光センサ２１１の出力に基づいて被写体輝度の測定を行う（＃２２１）。ここで得た被写体輝度に基づいてシャッタ速度及び／又は絞り値を演算により求める（＃２２３）。なお、ここで、求めるシャッタ速度及び／または絞り値は、設定された撮影モードにしたがったＰ線図に基づいて行う。この後、測距回路２１７の出力に基づいて撮影レンズ１０１、１０２のピントズレ量を演算で求め、このズレ量に基づいて、レンズＣＰＵ１１１を介してレンズ駆動回路１０７を駆動しピント合わせを行う（＃２２５）。
【００３５】
次に、レリーズ釦２１の全押しによってオンとなる第２レリーズスイッチがオンか否かかの判定を行い（＃２３１）、オンではない場合には、レリーズ釦２１の半押しによってオンとなる第１レリーズスイッチがオンか否かかの判定を行う（＃２２９）。判定の結果、オンであった場合には、レリーズ釦は半押し状態ではあるが、全押し状態とはなっていないので、ステップ＃２２９と＃２３１を繰り返し行う待機状態となる。ステップ＃２２９にてレリーズ釦２１から手が離れ、第１レリーズスイッチがオフとなった場合には、ＮＯで抜けて元のルーチンに戻る。
【００３６】
一方、レリーズ釦２１が全押しされると、第２レリーズスイッチがオンとなり、ステップ＃２３１をＹｅｓで抜けて、ステップ＃２３３以下において、実際に撮像を行い画像データの記録を行うための処理、すなわち撮影動作を実行する。まず、可動ミラー２０１のアップ動作を行い（＃２３３）、これによって、撮影レンズ１０１、１０２を透過した被写体光束はＣＣＤ２２１側に導かれる〈但し、この時点ではシャッタ２１３が閉じているので、ＣＣＤ２２１上には結像していない〉。続いて、絞り１０３の絞込み動作を開始し（＃２３５）、絞り込みが終了すると撮像動作を行う（＃２３７）。
【００３７】
この撮像動作は、まずＣＣＤ２２１により撮像動作を開始させると共に、シャッタ２１３の先幕の走行を開始させ、所定時間経過後に後幕の走行を開始させる。後幕走行終了時間経過後にＣＣＤ２２１による撮像を停止させ、ＣＣＤ駆動回路２２３によって画像信号の読み出しを行い、画像処理回路２２７による画像処理を実行する。この画像処理された画像データはバッファメモリとしてのＳＤＲＡＭ２３７に格納される。この後、絞り１０３を開放状態に復帰させ（＃２３９）、可動反射ミラー２０１をダウンさせ（＃２４１）、ファインダ光学装置を被写体像観察状態にする。次に、ＳＤＲＡＭ２３７等のバッファメモリに記憶していた画像データを記録媒体（メモリカード）２４５に記録し（＃２４３）、元のルーチンに戻る。
【００３８】
また、スルー画表示モードＭ３００において、レリーズ釦２１が全押しされ、２Ｒがオンとなると、撮影動作Ｂ  Ｍ３３０に入り、前述のステップ＃２３５以下を実行する。各ステップについては、前述している通りであるので説明を繰り返さない。
【００３９】
次に、「スルー画条件の設定１」と「スルー画条件設定２」について図７を用いて説明する。このサブルーチンは前述したように、液晶モニタ２６に被写体画像を表示する際の画像明度の調整を行うためのものである。まず、スルー画条件設定１のサブルーチンに入ると、ステップＳ２０１において、測光センサ２８１の出力ＢＶｓに基づいて次回撮像時の電子シャッタスピードＴＶ１と感度ＳＶ１の決定を行う。スルー画表示時における絞り値は開放絞りであるので、この絞り値をＡＶｓとすると、
ＡＶｓ＋ＴＶ１＝ＢＶｓ＋ＳＶ１
の関係があり、
ＢＶｓ−ＡＶｓ＝ＴＶ１−ＳＶ１
となる。この式の左辺は既知の値であるので、左辺の値からＴＶ１とＳＶ１を適宜、プログラムラインやテーブルに従って求めればよい。この後、決定された電子シャッタスピードＴＶ１と感度ＳＶ１をそれぞれのレジスタに記憶・設定する（Ｓ２０７）。ＣＣＤ駆動回路２２３は、ここで設定・記憶されたＴＶ１とＳＶ１に基づいてＣＣＤ２２１の駆動制御を行い、光電変換信号の読み出しを行う。ステップＳ２０７にてＴＶ１およびＳＶ１の設定が終了すると元のフローに戻る。
【００４０】
次に、「スルー画条件設定２」を説明する。設定２のサブルーチンに入ると、まず、狙いの画像明度（所定値）と前回撮像時の画像明度との差ΔＥＶを算出する（Ｓ２０３）。続いて、画像明度が一定となるように、次回撮像時の電子シャッタスピードＴＶ１と感度ＳＶ１を決定する（Ｓ２０５）。この決定にあたっては、次の要素から求める。
・開放絞り値ＡＶｓ
・前回撮像時の電子シャッタスピードＴＶ０
・前回撮像時の感度ＳＶ０
・狙いの画像明度と前回撮像時の画像明度との差ΔＥＶ
まず、露出条件の基本式として
ＡＶｓ＋ＴＶ０＝ＢＶ０＋ＳＶ０  
である。
【００４１】
ここで、ＢＶ０は前回の輝度であるが、真の値は分からず、上記基本式では仮の値としている。真の輝度値ＢＶ０は、狙いとの差、即ち、ΔＥＶだけ外れていることから、
ＢＶ０＝ＡＶｓ＋ＴＶ０−ＳＶ０＋ΔＥＶ
＝ＡＶ１＋ＴＶ１−ＳＶ１
となり、この関係式からＴＶ１とＳＶ１を求める。ここで、差ΔＥＶは、例えば、撮像素子の各画素の出力の加重平均と狙いとする値との差から求めればよい。このステップＳ２０５を終了すると、前述したステップＳ２０７に進み、元のフローに戻る。
【００４２】
次に、縦構図撮影モードと横構図撮影モードにおける画像データの生成について、図７を用いて説明する。図７は画像処理回路２２７における動作概念を示す機能ブロック図である。ＣＣＤ２２１によって撮像された画像信号はＣＣＤ駆動回路２２３およびＣＣＤインターフェース回路２２５によって処理された後に撮像データとして切換スイッチ２８１に入力される。切換スイッチ２８１は、縦構図／横構図指示信号を制御信号として入力し、この指示信号に従って入力した撮像データを２８１ａと２８１ｂに切り換えて出力するスイッチである。縦構図指示信号を入力した場合には出力端２８１ａに、また横構図指示信号を入力した場合には出力端２８１ｂに切り換えて出力する。
【００４３】
出力端２８１ａに接続された縦構図画像切り出し部２８３は、撮像データから縦構図に対応する部分の画像データの切り出しを行う。縦構図画像切り出し部２８３と出力端２８１ｂの接続点に入力端子が接続された切換スイッチ２８５は、制御入力として表示／記録指示信号を入力し、この指示信号に従って出力を、２８５ａと２８５ｂに切り換えるスイッチである。表示指示信号を入力した場合には出力端２８５ａに、また記録指示信号を入力した場合には出力端２８５ｂに出力が切り換えられる。出力端２８５ａに入力が接続されたスルー画表示用画像生成部２８７は、液晶モニタ２６にスルー画表示する際に用いられる画像データを生成し、スルー画データとして出力する。また、出力２８５ｂに入力が接続された記録用画像生成部２８９は、記録媒体２４５に静止画データを記録する際に用いられる画像データを生成し、静止画データとして出力する。
【００４４】
続いて、図７に示す機能ブロック図の動作について説明する。今、横構図撮影モードが設定されている場合、すなわちパワースイッチ２３の操作時または縦構図釦３７の操作により横構図撮影モードが選択され、ステップ＃１０７において横構図指示がなされている場合とする。この場合には、切換スイッチ２８１は出力端２８１ｂ側に切り換わっており、撮像データは加工されることなく、切換スイッチ２８５に送られる。更にこの状態でスルー画表示に表示切換釦３５によって選択・設定されているとすると、切換スイッチ２８５は出力端２８５ａ側に切り換り、スルー画用表示生成部２８７は、液晶モニタ２６の表示用の画像データを生成し、出力端からスルー画データを出力する。このとき液晶モニタ２６は、図８（Ａ）に示すように横構図で被写体２９１を表示する。この横構図撮影モードで、２Ｒがオンとなり記録指示信号が出力されると、切換スイッチ２８５の出力は２８５ｂに切り換わり、記録用画像生成部２８９に撮像データが供給される。記録用画像生成部２８９は記録用に静止画データを生成し、出力端から記録媒体２４５に静止画データを出力する。このとき記録媒体２４５には、図８（Ａ）に示すように横構図の被写体像２９２に対応する画像データが静止画データとして記録される。
【００４５】
次に、縦構図撮影モードが設定されている場合、すなわち縦構図釦３７の操作により縦構図撮影モードが選択され、ステップ＃１０９において縦構図指示がなされている場合とする。この場合には、切換スイッチ２８１は出力２８１ａ側に切り換わっており、撮像データは縦構図画像切り出し部２８３によって、撮像データの中から縦構図に対応する画像データのみ切り出し、切換スイッチ２８５に送る。今、スルー画表示であるとすると、切換スイッチ２８５は出力２８５ａ側に切り換り、スルー画用表示生成部２８７は、液晶モニタ２６の表示用の画像データを生成し、出力端からスルー画データを出力する。このとき液晶モニタ２６は、図８（Ｂ）の左側に示すような表示を行う。すなわち液晶モニタ２６の横長画面の中に縦構図の被写体像２９３と、その左右に余白部２９４ａ、２９４ｂが表示される。さらに、この縦構図撮影モードで、２Ｒがオンとなり記録指示信号が出力されると、切換スイッチ２８５の出力端は２８５ｂに切り換わり、記録用画像生成部２８９に撮像データが供給される。記録用画像生成部２８９は記録媒体２４５に記録用に静止画データを生成し、出力端から静止画データとして出力する。このとき記録媒体２４５には、図８（Ｂ）の右側に示すように、スルー画表示時の被写体像２９３に対応する被写体像２９５の静止画データが記録される。
【００４６】
次に、本発明の一実施形態の変形例について説明する。一実施形態での縦構図のスルー画表示は、図８（Ｂ）に示すように被写体像２９３の左右は余白部２９４ａ、２９４ｂとしていた。この変形例は、図８（Ｃ）に示すように、余白部２９４ａ、２９４ｂに対応する被写体像２９６ａ、２９６ｂは表示し、代わりに縦構図に対応する部分については枠２９７で表示するようにしている。この変形例は、縦構図の被写体像２９３の周囲の被写体像も表示されるので、撮影構図を決めるにあたって便利である。なお、枠２９７の色彩は、本変形例では白色としたが、これに限らず、黒色でも、青色、赤色、または周囲の色彩に対する補色等、適宜選択することができるし、また単なる線ではなく、二重線等でも構わない。
【００４７】
以上、説明したように本発明の一実施形態およびその変形例では、被写体をローアングルまたはハイアングルで撮影する場合にしばしば液晶モニタ２６が収納位置から引き出しされることに着目し、この場合縦構図釦３７によって縦構図を選択した場合には、カメラ本体２０を横構図用に把持したままで縦構図の表示を行うと共に、レリーズ釦２１の操作により撮影の指示を行った場合には、そのカメラ位置で縦構図の静止画データを記録媒体２４５に記録するようにしている。すなわち、液晶モニタ２６が引き出されたことを検出する可動モニタスイッチの状態を判定し（＃１０１）、かつ縦構図が選択されている場合には（＃１０３）、切換スイッチ２８１に縦構図指示を出している。この縦構図指示が出力された場合には、撮像データに基づいて縦構図画像切り出し部２８３は縦構図画像を生成し、これを基に液晶モニタ２６はスルー画表示を行うと共に、縦構図画像を記録媒体２４５に記録する。このような構成であるために、カメラ本体２０を縦位置に把持することの困難なローアングルまたはハイアングルであっても横位置に把持したままで、撮影することができ、大変便利である。
【００４８】
なお、本発明の実施形態においては、液晶モニタ２６が引き出された状態で可動モニタスイッチ３９はオンとなるようにしているが、引き出され且つ表示面が上方または下方に向けられたときのみスイッチがオンとなるようにしても良い。また、液晶モニタ２６の動き・位置を検出できるものであれば、スイッチは機械的スイッチでも光電スイッチでもよい。さらに、カメラ本体２０は被写体像の記録用の撮像素子（ＣＣＤ２２１）のみを有しているだけであったが、その他観察用等に複数の撮像素子を有していても本発明を適用できることは勿論である。
【００４９】
また、本発明の実施形態においては、縦構図の範囲の表示方法として、一実施形態のように記録される部分に対応した被写体像のみを表示したり、変形例のように枠を表示しているが、これに限られず、例えば、縦構図の範囲外については白黒表示する方法等でもよく、縦構図部分とそれ以外の部分が識別できる表示方法であれば構わない。
【００５０】
本発明の実施形態の説明にあたっては、デジタル一眼レフカメラを例に挙げたが、これに限らず、撮像素子を有し、この撮像素子の出力に基づいてスルー画を表示することのできるデジタルカメラや電子撮像装置であれば適用できることは勿論である。
【図面の簡単な説明】
【００５１】
【図１】本発明の一実施形態に係わるデジタル一眼レフカメラの外観斜視図であり、（Ａ）は液晶モニタが収納位置にある状態、（Ｂ）は液晶モニタが引き出された状態を示す外観図である。
【図２】本発明の一実施形態に係るデジタル一眼レフカメラの全体構成を示すブロック図である。
【図３】本発明の一実施形態におけるデジタル一眼レフカメラの表示モードおよびその動作モード・メニューの階層構造を示すブロック図である。
【図４】本発明の一実施形態におけるスルー画表示モードのフローチャートである。
【図５】本発明の一実施形態における撮影動作Ａおよび撮影動作Ｂのフローチャートである。
【図６】本発明の一実施形態におけるスルー画条件の設定１とスルー画条件の設定２のフローチャートである。
【図７】本発明の一実施形態における縦構図と横構図における処理の機能ブロック図である。
【図８】本発明の実施形態におけるスルー画表示と記録用画像を対比する図であって、（Ａ）は横構図の場合であり、（Ｂ）は縦構図の場合であり、（Ｃ）は縦構図の場合の変形例を示す図である。
【符号の説明】
【００５２】
１０  レンズ鏡筒
２０  カメラ本体
２１  レリーズ釦
２２  モードダイヤル
２３  パワースイッチ
２４  コントロールスイッチ
２６  液晶モニタ
２７  再生釦
２８  メニュー釦
３０  十字キー
３１  ＯＫ釦
３３  ファインダ
３４  スルー画切換釦
３５  表示切換釦
３６  プレビュー釦
３７  縦構図釦
３９  可動モニタスイッチ
２２１  ＣＣＤ
２２９  ボディＣＰＵ
２２７  画像処理回路
２８３  縦構図画像切り出し部
２８７  スルー画用表示画像生成部
２８９  記録用画像生成部
【図１】
2007300275.tif 000003
【図２】
2007300275.tif 000004
【図３】
2007300275.tif 000005
【図４】
2007300275.tif 000006
【図５】
2007300275.tif 000007
【図６】
2007300275.tif 000008
【図７】
2007300275.tif 000009
【図８】
2007300275.tif 000010